(57)【特許請求の範囲】
【請求項１】
各々ノズル（１０）を備えたそれぞれのノズル支持体（２０）を収容する二つのハウジング（３５）を画定する本体（３０；４０；５０）を備えるディスペンサーヘッドを有し、各ハウジング（３５）が第１軸（Ｙ）に沿った第１開口（３９）及び第２軸（Ｋ）に沿った第２開口（４１）を介して外側に連通し、各ノズル支持体（２０）が、第１開口（３９）を介して挿入した後、送りダクト（３４）に連通するようにして配列され、第２開口（４１）を介して物質を供給することを特徴とするパッケージング及びディスペンサー装置。
【請求項２】
上記ハウジング（３５）が押しボタン（３０）に形成されていることを特徴とする請求項１に記載のパッケージング及びディスペンサー装置。
【請求項３】
上記押しボタン（３０）がヒンジ形成部分（４０）を介して組立スカート（５０）に接続されていることを特徴とする請求項２に記載のパッケージング及びディスペンサー装置。
【請求項４】
上記ノズル（１０）が旋回通路を備えていることを特徴とする請求項１〜３のいずれか一項に記載のパッケージング及びディスペンサー装置。
【請求項５】
ノズル支持体（２０）に連通する各送りダクト（３４）が雄端部片（３８）を介してハウジング（３５）内に開放していることを特徴とする請求項１〜４のいずれか一項に記載のパッケージング及びディスペンサー装置。
【請求項６】
各ノズル支持体（２０）がハウジング（２２）を備え、ディスペンサーヘッドの本体の雄端部片（３８）が漏れ止め嵌合により係合され得ることを特徴とする請求項５に記載のパッケージング及びディスペンサー装置。
【請求項７】
ノズル支持体（２０）に連通する各送りダクト（３４）が雌端部片を介してハウジング（３５）内に開放していることを特徴とする請求項１〜４のいずれか一項に記載のパッケージング及びディスペンサー装置。
【請求項８】
各ノズル支持体（２０）がディスペンサーヘッドの本体の雌端部片と漏れ止め嵌合により係合するために適した雄端部片を備えていることを特徴とする請求項７に記載のパッケージング及びディスペンサー装置。
【請求項９】
第１開口（３９）が、円形筒状である壁（４２）に形成されることを特徴とする請求項１〜８のいずれか一項に記載のパッケージング及びディスペンサー装置。
【請求項１０】
各第２開口（４１）が、ほぼ平面状である壁（４３）に形成されることを特徴とする請求項１〜９のいずれか一項に記載のパッケージング及びディスペンサー装置。
【請求項１１】
各ノズル支持体（２０）が、第１開口（３９）を第２開口（４１）から分離する直立体（４９）の背後の位置を占めしかも直立体（４９）と接触するように形成した切頭型角度付き部分（６２）を含んでいることを特徴とする請求項１〜１０のいずれか一項に記載のパッケージング及びディスペンサー装置。
【請求項１２】
各ノズル支持体（２０）が中央柱状体（２３）を備え、中央柱状体（２３）にノズル（１０）が固定でき、上記中央柱状体（２３）が環状溝（２６）で包囲され、前記環状溝（２６）がノズルと同じ軸線（Ｋ）をもつ通路（２９）を介して、送りダクト（３４）と連通すのに適した接続部分（２０）と接続することを特徴とする請求項１〜１１のいずれか一項に記載のパッケージング及びディスペンサー装置。
【請求項１３】
各ノズル支持体（２０）が円筒状壁部分（２８）を備えていることを特徴とする請求項１〜１２のいずれか一項に記載のパッケージング及びディスペンサー装置。
【請求項１４】
送りダクト（３４）が放射状であることを特徴とする請求項１〜１３のいずれか一項に記載のパッケージング及びディスペンサー装置。
【請求項１５】
送りダクト（３４）が、弁又はポンプの制御ロッドと結合するために機能する雌端部片を介して組立体スカート（５０）の内側に開放している軸方向ダクト（３３）に接続されていることを特徴とする請求項１２に記載のパッケージング及びディスペンサー装置。
【請求項１６】
加圧容器（２）を有することを特徴とする請求項１〜１５のいずれか一項に記載のパッケージング及びディスペンサー装置。
【請求項１７】
第１開口が側部開口であり、また第２開口が前部開口であることを特徴とする請求項１〜１６のいずれか一項に記載のパッケージング及びディスペンサー装置。
【請求項１８】
ディオドラントを分与するために使用されることを特徴とする請求項１〜１７のいずれか一項に記載のパッケージング及びディスペンサー装置。
【請求項１９】
ヘアースプレイを分与するために使用されることを特徴とする請求項１〜１７のいずれか一項に記載のパッケージング及びディスペンサー装置。
【請求項２０】
肌、特に素肌にケアー製品を分与するために使用されることを特徴とする請求項１〜１７のいずれか一項に記載のパッケージング及びディスペンサー装置。
【発明の詳細な説明】
【０００１】
【発明の属する技術分野】
本発明は、噴霧を発生でき、加圧容器又はポンプに装着する新規のディスペンサーヘッドに関するものである。
【０００２】
【従来の技術】
あるケースでは旋回（渦流）通路をもち、他のケースでは単純なオリフィスをもつ二つのノズルを備えた相当数のディスペンサーヘッドが知られている。
【０００３】
英国特許出願ＧＢ−Ａ−２ １５３ ４４４には、単純なオリフィスをもつ二つのノズルを備えたディスペンサーヘッドが開示されている。ノズルの放出する噴流は指向性があり、その結果、放出された粒子はそれら粒子のぶつかり合う点でばらばらとなる。各ノズルは角度付き管の形態のノズル支持体に固定される。このようなディスペンサーヘッドは相対的に壊れ易く、しかも外観が美しくない。
【０００４】
欧州特許ＥＰ−Ｂ−Ｏ ７５５ ８７８には、旋回通路をもつ二つのノズルを備えた相当数のディスペンサーヘッドが開示されている。この欧州特許における一つの実施の形態では、ノズルは撓み管によってヘッド本体に接続され、未来派的な外観を呈しているが、製造が複雑となる。別の実施の形態では、各ノズルはヘッド本体に設けたハウジング内に一端をスナップ嵌めされるノズル支持体に固定されている。このような組立体は比較壊れ易い。
【０００５】
フランス国特許出願ＦＲ−Ａ−２ ６９１ ３８３には、二つのノズルを単一部品の形態で構成したディスペンサーヘッドが開示されている。このような構造は比較的丈夫で、しかも型から容易に取出すことができるが、ノズルから放出された噴霧を例えば４０°を超え得る角度で収束させるのは容易ではない。あいにく、大きな角度は、噴流の運動エネルギーを壊し、しかも比較柔らかい噴霧を作るように作用し、これはある一定の応用では望ましい。
【０００６】
その結果、必要であればノズルの軸線間の角度を４０°以上にできる、丈夫で製造コストの低い新規のディスペンサーヘッドの要求がある。
【０００７】
【発明が解決しようとする課題】
本発明は、この要求を満たす新規のディスペンサーヘッドを提供することを目的としている。
【０００８】
【課題を解決するための手段】
上記の目的を達成するために、本発明によるディスペンサーヘッドは、各々ノズルを装着したノズル支持体を収容する二つのハウジングを画定する本体を備え、各ハウジングが第１開口及び第２開口を介して外側に連通し、各ノズル支持体が、第１開口を介して挿入した後、送りダクトに連通するように配列され、相応した第２開口を介して物質を供給することを特徴としている。
【０００９】
本発明のディスペンサーヘッドは、ノズルの軸線が互いに４０°以上の角度を成すべきであるのが望ましい場合でも、特に丈夫でかつ外観がよく、しかも比較的簡単に製造できることが判る。
【００１０】
特定の実施の形態では、上記ハウジングは押しボタンに形成され、そして押しボタンはヒンジ形成部分を介して組立スカートに接続される。
【００１１】
使用したノズルは有利には旋回通路を備えている。
【００１２】
特定の実施の形態では、ノズル支持体に連通する各送りダクトは雄端部片又は変形例では雌端部片を介して相応したハウジング内に開放している。
【００１３】
送りダクトは有利には放射状であり、それにより型外しが容易となる。
【００１４】
上記の第１開口は、円形筒状である壁（４２）に形成され得、各第２開口は、ほぼ平面状である壁に形成され得る。
【００１５】
本発明の一つの特徴によれば、各ノズル支持体は、第１開口を相応した第２開口から分離する直立体の背後の位置を占めしかも直立体と接触するように形成した切頭型角度付き部分を備えている。
【００１６】
特定の実施の形態では、各ノズル支持体はハウジングを備え、このハウジング内においてディスペンサーヘッドの本体の雄端部片は漏れ止め嵌合により係合され得る。変形例では、各ノズル支持体はディスペンサーヘッドの本体の雌端部片と漏れ止め嵌合により係合するために適した雄端部片を備えている。
【００１７】
特定の実施の形態では、各ノズル支持体は中央柱状体を備え、中央柱状体には相応したノズルが固定され得、中央柱状体は、ノズルと同じ軸線をもつ通路を介して、送りダクトの一つと連通するために適した接続部分と連通する環状溝で包囲されている。
【００１８】
特定の実施の形態では、各ノズル支持体は、ヘッドの本体に接触嵌勘合できる円筒状壁部分を備えている。
【００１９】
送りダクトは、弁又はポンプの制御ロッドと結合するために機能する雌端部片を介して組立体スカートの内側に開放している軸方向ダクトに接続され得る。
【００２０】
第１開口は側部開口であり、また第２開口は前部開口であり得る。
【００２１】
本発明はまた、加圧され又は上記のディスペンサーヘッドと共にポンプの取付けられる容器を有することを特徴とするパッケージング及びディスペンサー装置を提供する。
【００２２】
本発明はまた、化粧品、例えばディオドラント、ヘアースプレイ又は肌、特に素肌にケアー製品を分与するためにパッケージング及びディスペンサー装置を使用する。
【００２３】
本発明の他の特徴及び利点は添付図面に関しての以下の説明から明かとなる。
【００２４】
【発明の実施の形態】
図１は本発明によるパッケージング及びディスペンサー装置１を示し、図示装置１は加圧容器２を備え、この加圧容器２には本発明によるディスペンサーヘッド３が取付けられている。加圧容器２の頂部は弁（図示していない）を支持するカップを備え、このカップは容器の本体に縮嵌めされている。弁は中空制御ロッド（同様に図示していない）を備え、そしてこの中空制御ロッドを押すことにより開放される。加圧容器を、ポンプを装着した容器に代えることは本発明の範囲内である。
【００２５】
ディスペンサーヘッド３は二つのノズル１０を備え、これら二つのノズル１０はノズル支持体２０で保持されており、ノズル支持体２０自体は押しボタン３０に固定され、押しボタン３０はヒンジ形成部分４０を介して組立体スカート５０に接続され、組立体スカート５０は組立体を容器２に固定するために用いられる。
上記の例において、押しボタン３０、ヒンジ形成部分４０及び組立体スカート５０は全てプラスチック材料の一部片成形体として構成され、そしてそれらはディスペンサーヘッド３の本体を構成している。
【００２６】
図２、図３及び図４には、ノズル支持体２０を外した状態でディスペンサーヘッド３の本体を示している。
【００２７】
図４を参照するとわかるように、組立体スカート５０の底部には、普通の仕方で、容器２の頂部に形成された溝にスナップ嵌めする径方向内方に突出したビード５１が設けられている。
【００２８】
また図４に見られ得るように、押しボタン３０は軸線Ｘ上に軸方向ダクト３３を備え、この軸方向ダクト３３は雌端部片３１を介して組立体スカート５０の内側に連通しており、そして弁制御ロッドの頂端部を漏れ防止嵌合として受けるように設計されている。
【００２９】
軸方向ダクト３３は二つの径方向送りダクト３４に接続され、これらの送りダクト３４は、ノズル支持体２０を受けるハウジング３５の底部へそれぞれの雄端部片３８を介して連通している。
【００３０】
送りダクト３４は軸線Ｘに垂直な軸線Ｙに沿って径方向に逆向きにのびている。ハウジング３５は側部開口３９及び前部開口４１を介して外部に連通している。
【００３１】
側部開口３９は、押しボタン３０の軸線Ｘを中心とした円筒状の壁４２に形成され、そして図２に示すように、輪郭がほぼ長方形である。
【００３２】
前部開口４１は、ほぼ平面状であるそれぞれの前部壁４３に形成され、二つの前部壁４３は中央壁４４で合い、中央壁４４は図３に示すように、軸線Ｘ、Ｙに垂直な軸線Ｚに垂直にのびている。
【００３３】
各前部壁４３は中央壁４４に対して約３０°の角度を成している。
【００３４】
前部壁４３及び中央壁４４の底部は、軸線Ｘに垂直にのびる底部壁４５に接続されている。
【００３５】
易破壊材料の橋絡部材４８は、最初に使用する前に押しボタン３０が偶発的に押し下げられる危険を低減するために、円筒状壁４２を組立体スカート５０の頂部に仮に接続している。この易破壊材料の橋絡部材４８は、ヒンジ形成部分４０に対向して配置されている。
【００３６】
前部壁４３及び円筒状壁４２は、直立体４９によって互いに接続されている。
【００３７】
押しボタン３０は、使用者が押す表面を形成する頂面３２を備えている。
【００３８】
各直立体４９は、相応した前部開口４１と側部開口３９との間に位置し、そして頂部壁３２と底部壁４５との間にのび、通常主基部が方向Ｙに平行である三角形を断面形を呈している。
【００３９】
型から外す際に、直立体４９は型の二つのスライドと接触し、これらスライドの一方はＹ方向に動かされ、他方のスライドはＺ方向に動かされる。
【００４０】
以下図５を参照してノズル支持体２０について説明する。ノズル支持体２０はプラスチック材料の一部片成形体として形成した本体２１を有している。ノズル支持体２０は、上記の雄端部片３８の一つを漏れ防止嵌合体として受けるハウジング２２と、中央柱状体２３（又は支持ロッド）とを備え、中央柱状体２３の前面２４はノズル支持体２０の前面２５より内方までのびている。
【００４１】
環状溝２６は中央柱状体２３を包囲し、図７に示すようにノズル１０をそこに固定できるようにしている。ノズル支持体２０の本体２１は凹部２７を備え、成形のために使用する材料の量を節約できるようにしている。ハウジング２２から離れた側において、ノズル支持体２０は、以下に説明するように、押しボタン３０の円筒状壁４２と並置される円筒状壁２８を備えている。
【００４２】
環状溝２６は、中央柱状体２３と同じ軸線Ｋをもつ通路２９を介してハウジング２２と連通している。
【００４３】
各ノズル支持体２０は熱可塑性樹脂材料を射出成形することにより作ることができ、そして得られたその形を容易に型外しすることができる。
【００４４】
ノズル１０は好ましくは旋回通路を備えたノズルであり、このようなノズルの原理は特に１９７５年１２月発行のＡｅｒｏｓｏｌ Ａｇｅ、Ｖｏｌ．２０の記載から周知である。このような旋回通路ノズルは種々の仕方で作ることができ、物質は図６に見られ得るように、多数の集束通路１１によって混合室１２内に接線方向に集められて、分与され、混合室１２は出口オリフィス１３を介して外部に連通している。
【００４５】
集束通路１１は、ノズルの軸線Ｋと平行な軸線方向通路１４と連通し、ノズル支持体２０の通路２９を介して物質が供給される。
【００４６】
ノズル１０がノズル支持体２０の適所に配置されると、中央柱状体２３の前面２４はノズル１０の端壁１６に当接し、物質を集束通路１１に沿って移送させる。
【００４７】
ノズル支持体２０は、中央柱状体２３の前方に半径方向内方に突出した環状ビード６０を備え、ノズル１０を適位置にスナップ嵌めできるようにしている。
【００４８】
適当には、ノズル支持体２０におけるノズル１０の保持を改善するためノズル１０の側壁１７にレリーフ部分が形成され得る。
【００４９】
ノズル支持体２０は、前面２５に隣接して円筒状壁２８をのばした切頭角度付き部分６２を備えていることが判られるべきである。
【００５０】
ディスペンサーヘッド３は次のようにして製造される。押しボタン３０を組立体スカート５０と共に型から外した後、ノズル１０を取り付けたノズル支持体２０を側部開口３９に挿入して、雄端部片３８がハウジング２２内に強制され、ノズル支持体２０の角度付き部分６２が直立体４９の背後に位置決めされるようにする。
【００５１】
中央柱状体２３の軸線Ｋに与えられることになる角度に依存して、例えば分与されることになる物質の性質に適合させるために、ディスペンサーヘッド３の本体の形状を変えることなしに、ノズル１０の軸線間の角度を変更できることが判られるべきである。
【００５２】
従ってノズル１０の軸線Ｋは適当には前壁４３に対する法線に対してゼロでない角度にできる。
【００５３】
ノズル１０の軸線Ｋ間の角度は、ノズルから放出した噴流が合流すべきであるのが望ましい距離の関数として選択され、ノズル１０のオリフィス間の距離は例えば１．５ｃｍ〜２．５ｃｍの範囲内にあり、例えば２ｃｍに近く、また軸線Ｋの間の角度は４０°〜１００°の範囲内であり、例えばほぼ６０°である。
【００５４】
物質を分与するために、使用者は頂壁３２を押し、それにより押しボタン30を押し込み、容器２の弁を作動する。
【００５５】
驚くべきことに、旋回通路をもつノズルを用いることにより、初期噴霧の粒子サイズに近い粒子サイズの噴霧を得ることができ、これに対して英国特許出願ＧＢ−Ａ−２ １５３ ４４４の教示から恐れられるように、噴流における粒子の遭遇により粒子サイズは分裂し小さくなる。
【００５６】
従って、本発明によれば、２０μｍより大きいサイズの、例えば平均粒子サイズ３０μｍの粒子でへアースプレイを生成することができる。
【００５７】
本発明はまた、デオロラントを分与するためにも適している。
【００５８】
また、本発明は、感受性の高い肌又は素肌に用いる物質特に日焼けを処理するケアー製品を分与するのに有利に用いられ得る。その理由は、噴霧が非常にソフトであり、また物質は大きな吹き込みなしに分与できるからである。
【００５９】
本発明は上記の例に限定されない。
【００６０】
特に、ノズルを受けるハウジングは、加圧容器に対して静止したディスペンサーヘッドの部分に形成され得る。
【図面の簡単な説明】
【図１】本発明によるディスペンサーヘッドを装着した加圧容器の概略斜視図。
【図２】ノズル支持体を外して分離して示すディスペンサーヘッドの側面図。
【図３】図２の矢印III−IIIに沿った横断面図。
【図４】図３の矢印IV−IVに沿った横断面図。
【図５】ノズルを外して分離したノズル支持体を示す断面図。
【図６】ノズルの半分を示す概略斜視図。
【図７】ノズル支持体に装着したノズルの一部を示す概略断面図。
【符号の説明】
１０：ノズル
２０：ノズル支持体
３０：押しボタン
３４：送りダクト
３５：ハウジング
３９：側部開口
４０：ヒンジ形成部分
４１：前部開口
５０：組立体スカート
【図１】
0003790722.tif 000002
【図２】
0003790722.tif 000003
【図３】
0003790722.tif 000004
【図４】
0003790722.tif 000005
【図５】
0003790722.tif 000006
【図６】
0003790722.tif 000007
【図７】
0003790722.tif 000008